【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】  画像を形成する画像形成装置に接続されたコンピュータ内に格納された画像形成装置ドライバにおいて、前記コンピュータに接続された撮像装置から取得した画像データを保存する機能と、保存された画像データから任意に選択させて画像ファイルを作成する機能と、を備えることを特徴とする画像形成装置ドライバ。
【請求項２】  請求項１に記載の画像形成装置ドライバにおいて、印刷するデータファイルに前記作成した画像ファイルを追加し、該データファイルと該画像ファイルとを１ファイルとして所定の加工処理を行う機能を備えることを特徴とする画像形成装置ドライバ。
【請求項３】  請求項１に記載の画像形成装置ドライバにおいて、前記撮像装置の静止画像データ及び動画像データを取り込む機能を備えることを特徴とする画像形成装置ドライバ。
【請求項４】  請求項３に記載の画像形成装置ドライバにおいて、前記撮像装置の動画像データの少なくとも一部を静止画像データとして取り込む機能を備えることを特徴とする画像形成装置ドライバ。
【請求項５】  請求項４に記載の画像形成装置ドライバにおいて、前記取り込む機能は少なくとも２コマの静止画像データを取り込む機能であって、前記撮像装置の動画像データを静止画像データとして取り込む際に、前記静止画像データをコマ数で指定する機能を備えることを特徴とする画像形成装置ドライバ。
【請求項６】  請求項１乃至請求項５の何れか１項に記載の画像形成装置ドライバにおいて、前記撮像装置から取得した画像データをサムネール表示し、前記保存された画像データから任意に選択させる機能を備えることを特徴とする画像形成装置ドライバ。
【請求項７】  請求項２に記載の画像形成装置ドライバにおいて、前記１ファイルとしてのファイルの先頭にヘッダーを追加し、最後尾にフッターを付加する機能を備えることを特徴とする画像形成装置ドライバ。
【請求項８】  請求項７に記載の画像形成装置ドライバにおいて、前記付加したヘッダーからフッター間のデータファイル及び画像ファイルに対して単一の所定の加工処理を行う機能を備えることを特徴とする画像形成装置ドライバ。
【請求項９】  請求項８に記載の画像形成装置ドライバにおいて、前記付加したヘッダーからフッター間のデータファイル及び画像ファイルごとに異なった所定の加工処理が要求された場合、ファイルごとに所定の加工処理を行う機能を備えることを特徴とする画像形成装置ドライバ。
【請求項１０】  請求項１に記載の画像形成装置ドライバにおいて、作成した画像ファイルに対して、画像サイズ、解像度、紙サイズ、または集約指定を行う機能を備えることを特徴とする画像形成装置ドライバ。
【手続補正２】
【補正対象書類名】明細書
【補正対象項目名】０００４
【補正方法】変更
【補正の内容】
【０００４】
【課題を解決するための手段】
上記目的を達成するために、請求項１記載の発明は、画像を形成する画像形成装置に接続されたコンピュータ内に格納された画像形成装置ドライバにおいて、前記コンピュータに接続された撮像装置から取得した画像データを保存する機能と、保存された画像データから任意に選択させて画像ファイルを作成する機能と、を備えることを特徴とする。
請求項２記載の発明は、請求項１に記載の画像形成装置ドライバにおいて、印刷するデータファイルに前記作成した画像ファイルを追加し、該データファイルと該画像ファイルとを１ファイルとして所定の加工処理を行う機能を備えることを特徴とする。
【手続補正３】
【補正対象書類名】明細書
【補正対象項目名】０００５
【補正方法】変更
【補正の内容】
【０００５】
請求項３記載の発明は、請求項１に記載の画像形成装置ドライバにおいて、前記撮像装置の静止画像データ及び動画像データを取り込む機能を備えることを特徴とする。
請求項４記載の発明は、請求項３に記載の画像形成装置ドライバにおいて、前記撮像装置の動画像データの少なくとも一部を静止画像データとして取り込む機能を備えることを特徴とする。
請求項５記載の発明は、請求項４に記載の画像形成装置ドライバにおいて、前記取り込む機能は少なくとも２コマの静止画像データを取り込む機能であって、前記撮像装置の動画像データを静止画像データとして取り込む際に、前記静止画像データをコマ数で指定する機能を備えることを特徴とする。
【手続補正４】
【補正対象書類名】明細書
【補正対象項目名】０００６
【補正方法】変更
【補正の内容】
【０００６】
請求項６記載の発明は、請求項１乃至請求項５の何れか１項に記載の画像形成装置ドライバにおいて、前記撮像装置から取得した画像データをサムネール表示し、前記保存された画像データから任意に選択させる機能を備えることを特徴とする。
請求項７記載の発明は、請求項２に記載の画像形成装置ドライバにおいて、前記１ファイルとしてのファイルの先頭にヘッダーを追加し、最後尾にフッターを付加する機能を備えることを特徴とする。
【手続補正５】
【補正対象書類名】明細書
【補正対象項目名】０００７
【補正方法】変更
【補正の内容】
【０００７】
請求項８記載の発明は、請求項７に記載の画像形成装置ドライバにおいて、前記付加したヘッダーからフッター間のデータファイル及び画像ファイルに対して単一の所定の加工処理を行う機能を備えることを特徴とする。
請求項９記載の発明は、請求項８に記載の画像形成装置ドライバにおいて、前記付加したヘッダーからフッター間のデータファイル及び画像ファイルごとに異なった所定の加工処理が要求された場合、ファイルごとに所定の加工処理を行う機能を備えることを特徴とする。
請求項１０記載の発明は、請求項１に記載の画像形成装置ドライバにおいて、作成した画像ファイルに対して、画像サイズ、解像度、紙サイズ、または集約指定を行う機能を備えることを特徴とする。
【手続補正６】
【補正対象書類名】明細書
【補正対象項目名】０００８
【補正方法】変更
【補正の内容】
【０００８】
【発明の実施の形態】
以下、図面により本発明の実施の形態を詳細に説明する。
図１は、本発明の実施の形態に係る画像形成装置ドライバのブロック図である。
画像形成装置ドライバ１００は、ＰＣ（パソコン）２００にインストールされている。ＰＣ２００は、画像形成装置（プリンタ）３００と双方向通信をしており、お互いの情報交換を行っている。取り外し可能なデジタルカメラ（撮影装置）４００は何らかの方法でＰＣ２００に接続されており、その画像データをＰＣ２００に転送する。
画像形成装置ドライバ１００において、外部接続機データ取得部１０１は、デジタルカメラ４００から画像（動・静止画）を取得し、ハードディスク（以下ＨＤＤとする）１０３に画像データを保存する。グラフィカルユーザインタフェイス（以下ＧＵＩとする）１０２は、画像ファイル作成・１ファイルフィニッシング機能の選択及び画像選択のためのサムネール表示を行う。画像ファイル作成機能では、ＧＵＩ１０２で画像サイズ・解像度・使用する画像の選択・紙サイズ・集約を指定する。
ＨＤＤ１０３は、デジタルカメラ４００の画像データを保存すると共に、画像ファイル作成部１０５で作成した画像ファイルを保存する。画像処理部１０４は、ＧＵＩ１０２で表示するためのサムネールを作成し、外部接続機データ取得部１０１で取得したデジタルカメラ４００の動画からＧＵＩ１０２で指定されたコマ数で瞬時ごとに静止画を取得する作業を行う。取得した静止画はＧＵＩ１０２でサムネール表示する。
【手続補正７】
【補正対象書類名】明細書
【補正対象項目名】００１４
【補正方法】変更
【補正の内容】
【００１４】
【発明の効果】
以上説明したように、本発明は画像を形成する画像形成装置に接続されたコンピュータ内にある画像形成装置ドライバにおいて、コンピュータに接続された撮像装置から取得した画像データを保存する機能と、保存された画像データから任意に選択させて画像ファイルを作成する機能と、を備えることによって、他のアプリケーションを介さずに印刷でき、作業ステップが削減されると同時にユーザの煩雑さも取り除くことができる。
また、印刷するデータファイルに作成した画像ファイルを追加し、データファイルと画像ファイルとを１ファイルとして所定の加工処理を行う機能を備えることによって、容易に画像データを追加することができる。
また、撮像装置の静止画像データ及び動画像データを取り込む機能を備えることによって、ユーザの画像選択の範囲が広がるという効果がある。
また、１ファイルとしてのファイルの先頭にヘッダーを追加し、最後尾にフッターを付加する機能を備えることによって、印刷するデータファイルを１ファイルとして認識することができる。